(57)【要約】【課題】空気調和機の機械室内に配設される電装ユニットに対して配線を容易に接続できるようにすることである。【解決手段】室外機２０は、熱交換器室２４と機械室３０とを備える。機械室３０には、電装ユニット４０が配設固定されている。電装ユニット４０は、コネクタ部４２，４４を機械室３０内向きにした姿勢で、機械室３０内に固定される。【選択図】図２
2008144982.tif 000002
【特許請求の範囲】
【請求項１】
機械収納部（３０）を有する室外機筐体（２２）と、
前記収納部内に収容され、外部配線接続用の電気接続部を有する電装ユニット（４０；１４０；２４０）と、
前記機械室内を流れる冷媒で冷却可能な冷却部材（５０）と、
を備え、
前記電装ユニットは、前記電気接続部（４２，４４；１４２，１４４；２４２，２４４）を前記機械収納部内向き又は前記機械収納部の開放及び閉塞自在な開口部（３１）に向けた姿勢で、前記機械収納部内に固定された、空気調和機の室外機（２０；１２０；２２０）。
【請求項２】
請求項１記載の空気調和機の室外機であって、
前記電装ユニット（４０，１４０）が前記機械収納部の外側壁（３０ａ）との間に前記冷却部材を配設可能な位置に取付けられると共に、前記外側壁のうち前記電装ユニットに対向する部分に、前記電装ユニットの固定作業用開口部（３０ｈ）が形成された、空気調和機の室外機。
【請求項３】
請求項１記載の空気調和機の室外機であって、
前記機械収納部内を流れる冷媒で冷却可能な冷却部材（２５０）をさらに備え、
前記冷却部材が、前記電装ユニット（２４０）のうち前記機械収納部内向きの面又は前記機械収納部の開放及び閉塞自在な開口部（３１）に向く面に取付けられる、空気調和機の室外機。
【請求項４】
請求項１〜請求項３のいずれかに記載の空気調和機の室外機であって、
前記機械収納部内に配設される膨張弁（３４）と前記熱交換器室内に配設される室外熱交換器（２６）との間を流れる冷媒が通過する冷却部材（５０；２５０）をさらに備え、
前記膨張弁が前記機械収納部内であって外側壁（３０ａ）近傍に設けられており、
前記電装ユニット（２５０）が前記外側壁近傍に設けられている、空気調和機の室外機。
【発明の詳細な説明】
【技術分野】
【０００１】
この発明は、空気調和機の室外機に電装ユニットを設ける技術に関する。
【背景技術】
【０００２】
一般的な空気調和機の室外機は、仕切壁によって熱交換器室と機械室とに仕切られている。
【０００３】
熱交換器室内には、室外熱交換器等が収容されている。機械室には、送風機や圧縮機等を駆動制御するための回路等を内蔵した電装ユニットや、冷房及び暖房時における外部冷媒流路を構成する圧縮機、膨張弁、四方切替弁等が収容されている。
【０００４】
なお、室外機における電装ユニットの設置態様を開示する先行技術として、例えば、特許文献１及び２に記載のものがある。
【０００５】
【特許文献１】実開昭６２−１９５３５公報
【特許文献２】特開平３−７５４２４号公報
【発明の開示】
【発明が解決しようとする課題】
【０００６】
しかしながら、上記のような電装ユニットに対しては、送風機や圧縮機等、電装ユニット外の電気要素に接続するための配線を接続する必要がある。そこで、電装ユニットに対して配線を容易に接続できるようにすることが要請されている。
【０００７】
そこで、本発明のは、空気調和機の機械収納部内に配設される電装ユニットに対して配線を容易に接続できるようにすることである。
【課題を解決するための手段】
【０００８】
上記課題を解決するため、この空気調和機の室外機は、機械収納部を有する室外機筐体と、前記機械収納部内に収容され、外部配線接続用の電気接続部を有する電装ユニットと、前記機械収納部内を流れる冷媒で冷却可能な冷却部材と、を備え、前記電装ユニットは、前記電気接続部を前記機械収納部内向き又は前記機械収納部の開放及び閉塞自在な開口部に向けた姿勢で、前記機械収納部内に固定されたものである。
【０００９】
この場合に、前記電装ユニットが前記機械収納部の外側壁との間に前記冷却部材を配設可能な位置に取付けられると共に、前記外側壁のうち前記電装ユニットに対向する部分に、前記電装ユニットの固定作業用開口部が形成されていてもよい。
【００１０】
また、前記機械収納部内を流れる冷媒で冷却可能な冷却部材をさらに備え、前記冷却部材が、前記電装ユニットのうち前記機械収納部内向きの面又は前記機械収納部の開放及び閉塞自在な開口部に向く面に取付けられていてもよい。
【００１１】
また、前記機械収納部内に配設される膨張弁と前記熱交換器室内に配設される室外熱交換器との間を流れる冷媒が通過する冷却部材をさらに備え、前記膨張弁が前記機械収納部内であって外側壁近傍に設けられており、前記電装ユニットが前記外側壁近傍に設けられていてもよい。
【発明の効果】
【００１２】
この空気調和機の室外機によると、前記電装ユニットは、前記電気接続部を前記機械収納部内向き又は開放可能な開口部に向けた姿勢で、前記機械収納部内に固定されているため、空気調和機の機械収納部内に配設される電装ユニットに対して配線を容易に接続できる。また、前記機械収納部内を流れる冷媒で冷却可能な冷却部材によって電装ユニットをよく冷却することができる。
【００１３】
また、前記電装ユニットが前記機械収納部の外側壁との間に前記冷却部材を配設可能な位置に取付けられると共に、前記外側壁のうち前記電装ユニットに対向する部分に、前記電装ユニットの固定作業用開口部が形成されていると、固定作業用開口部を介して、冷却部材を電装ユニットに容易に取付けることができる。
【００１４】
さらに、前記冷却部材が、前記電装ユニットのうち前記機械収納部内向きの面又は前記機械収納部の開放及び閉塞自在な開口部に向く面に取付けられると、当該開口部を介して、水冷ジャケットを電装ユニットに容易に取付けることができる。
【００１５】
また、前記膨張弁が前記機械収納部内であって外側壁近傍に設けられており、前記電装ユニットが前記外側壁近傍に設けられていると、膨張弁と冷却部材との間の冷媒配管の取り回しが容易となる。
【発明を実施するための最良の形態】
【００１６】
以下、実施形態に係る空気調和機の室外機について説明する。図１は空気調和機の室外機を上方から見た状態を示す説明図であり、図２は空気調和機の室外機を正面から見た状態を示す説明図であり、図３は空気調和機全体の熱交換システムを示す図である。
【００１７】
＜１．空気調和機及び室外機の全体構成＞
この空気調和機は、室内機１０と室外機２０とを備えており、これらは所定の冷媒配管を介して相互接続されている。通常、室内機１０は空調対象となる室内に空気を供給可能な位置（例えば室内）に設置され、室外機２０は外気との間で熱交換可能な位置（例えば室外）に設置される。
【００１８】
室内機１０は、室内熱交換器１２を備えている。
【００１９】
室外機２０は、機械収納部として機械室３０を有する室外機筐体２２と、前記機械室３０内に収容された電装ユニット４０とを備えている。
【００２０】
室外機筐体２２は、打抜き屈曲加工等された金属版で又はこのような金属板と成型樹脂板との組合わせ等により構成されており、全体形状は略筺状形状に形成されている。
【００２１】
この室外機筐体２２内は、仕切壁２３により２つの空間に仕切られている。そのうちの一方の空間は、熱交換器室２４に構成されており、この熱交換器室２４内に、室外熱交換器２６、室外熱交換器用ファン２７及びファン２７駆動用のモータ２７ａが収容されている。また、室外機筐体２２のうち熱交換器室２４を構成する部分には、通風孔（図示省略）が形成されており、室外熱交換器用ファン２７の送風機能により外気が熱交換器室２４に導入された後、室外熱交換器２６回りを通って外部に排出されるようになっている。
【００２２】
また、室外機筐体２２内で仕切られた２つの空間のうちの他方は、機械室３０に構成されている。この機械室３０内には、上記電装ユニット４０の他に、冷媒を圧縮する圧縮機３２、圧縮機３２に対する吸込蒸気中の冷媒液を分離するアキュムレータ３３、室外機２０内を流れる冷媒圧力を調整する膨張弁３４（電子膨張弁）、冷媒の流れる方向を切り替える四方切替弁３６及びこれらを接続する配管３８等が収容されている。また、機械室３０を囲む側壁のうち、上記仕切壁２３と対向し外側に面する外側壁３０ａの下半部には、一対の閉鎖弁３９ａ，３９ｂが設けられている。これらの閉鎖弁３９ａ，３９ｂは、室内機１０と室外機２０とを接続する冷媒配管を上記配管３８に接続するための一対の接続口を開閉自在に閉鎖する。なお、ここでは、室外機筐体２２が熱交換器室２４と機械室３０とを有する構成を前提として説明するが、室外機筐体２２全体が上記のような仕切板が無く１つの収容室を形成する構成であってもよい。この場合には、当該１つの収容室内に上記室外熱交換器２４が収容される。また、その収容室の一部が機械収容部として電装ユニット４０等を収容固定する機械収容部ということになる。
【００２３】
また、この機械室３０のうちの一方は、開放及び閉塞自在な開口部３１に形成されている。ここでは、機械室３０の正面のほぼ全体に開口部３１が設けられている。本開口部３１に板状の蓋部材３１ａ（正面パネル）をネジ止や係合構造等を介して取付けることで、当該開口部３１が閉塞される。なお、室外機筐体２２の正面全体が開口しており、当該開口が一枚の蓋部材（正面パネル）にて閉塞される構成であってもよい。
【００２４】
電装ユニット４０は、扁平な略直方体形状に形成されており、この内部に電源電圧を所望の交流電圧に変換しこれを圧縮機３２に供給するインバータ回路が組込まれている。この電装ユニット４０には、本空気調和機や室外機２０の動作を全部又は部分的に処理する制御回路等の諸電気回路が組込まれていてもよい。
【００２５】
この電装ユニット４０は、上記インバータ回路を圧縮機３２に接続するための電気接続部としてコネクタ部４２を有している。また、この電装ユニット４０は、内部の電気回路を他の制御対象や電気回路等に接続するための他の電気接続部としてコネクタ部４４を有している。
【００２６】
これらのコネクタ部４２，４４は、電装ユニット４０の外殻となるケーシング４１の外面である一主面４１ａに設けられている。そして、上記圧縮機３２より延出する配線４８端部のコネクタ部４８ａがコネクタ部４２に接続されることで、電装ユニット４０内部のインバータ回路と上記圧縮機３２との電気的な接続がなされる。また、他の制御対象や電気回路等から延出された配線４９端部のコネクタ部４９ａがコネクタ部４４に接続されることで、電装ユニット４０内部の電気回路と他の制御対象や電気回路等との電気的な接続がなされる。
【００２７】
さらに、本電装ユニット４０は、冷却部材５０を備えている。冷却部材５０は、前記機械室３０内を流れる冷媒で冷却可能に構成されている。より具体的には、冷却部材５０は、アルミニウムや銅等の金属部材又は熱伝導性樹脂部材内に上記冷媒を通す配管５２を形成したものである。この配管５２には、上記機械室３０内に配設される膨張弁３４と上記熱交換器室２４内に配設される室外熱交換器２６との間を流れる冷媒が通過するようになっている。そして、当該冷媒によって、電装ユニット４０を周辺温度よりも冷却するようになっている。この冷却部材５０は、上記電装ユニット４０の外面、より具体的には、電装ユニット４０の外面であって上記コネクタ部４２，４４が形成された主面４１ａの反対側の主面４１ｂに、ネジ等の取付具５４を用いて固定されている。
【００２８】
機械室３０内における本電装ユニット４０の取付位置及び取付姿勢については後に詳述する。
【００２９】
ここで、図３を参照して本空調装置における冷媒配管と、冷房及び暖房時における冷媒流路について説明しておく。なお、図３において、実線矢印及び四方切替弁３６の実線は冷房時における冷媒流路を示しており、破線矢印及び四方切替弁３６の破線は暖房時における冷媒流路を示している。
【００３０】
すなわち、室内熱交換器１２の一方の接続口は四方切替弁３６の接続口に接続されている。四方切替弁３６の他の３つの接続口のうち一つは、アキュムレータ３３を介して圧縮機３２の吸込口３２ａに接続され、他の一つは圧縮機３２の吐出口３２ｂに接続され、さらに他の１つは室外熱交換器２６の一方の接続口に接続されている。四方切替弁３６は冷房時及び暖房時において次のように冷媒の流路を切換える。すなわち、冷房時においては、圧縮機３２の吸込口３２ａを、アキュムレータ３３を介して室内熱交換器１２に接続すると共に、圧縮機３２の吐出口３２ｂを室外熱交換器２６に接続するようにする。一方、暖房時においては、逆に、圧縮機３２の吸込口３２ａを、アキュムレータ３３を介して室外熱交換器２６に接続すると共に、圧縮機３２の吐出口３２ｂを室内熱交換器１２に接続するようにする。これにより、冷房及び暖房の切替が可能となっている。また、室外熱交換器２６の他方の接続口は冷却部材５０及び膨張弁３４を経由して室内熱交換器１２の他方の接続口に接続されている。
【００３１】
なお、上記膨張弁３４は、上記外側壁３０ａの下半部に取付けられた一方の閉鎖弁３９ａに配管３８を介して接続されている。このため、本膨張弁３４は、機械室３０内であって外側壁３０ａ近傍に配設されている。
【００３２】
そして、冷房時においては、室外熱交換器２６で凝縮された冷媒は冷却部材５０を通った後膨張弁３４で膨張されて室内熱交換器１２に与えられる。室内熱交換器１２に与えられた冷媒は当該室内熱交換器１２で蒸発し冷却する作用を行った後、アキュムレータ３３を介して圧縮機３２により吸込まれて圧縮される。圧縮機３２で圧縮された冷媒は室外熱交換器２６で再度凝縮され、本冷媒配管内を循環する。
【００３３】
この冷房時において、冷却部材５０を流れる冷媒は、室外熱交換器２６で冷却、凝縮されているので、電装ユニット４０を冷却し得る程度に十分に低温である。
【００３４】
一方、暖房時においては、室内熱交換器１２で凝縮された冷媒は、膨張弁３４で膨張された後冷却部材５０を通って室外熱交換器２６に与えられる。室外熱交換器２６に与えられた冷媒は蒸発した後、アキュムレータ３３を介して圧縮機３２により吸込まれて圧縮される。圧縮機３２で圧縮された冷媒は室内熱交換器１２で再度凝縮され、本冷媒配管内を循環する。
【００３５】
この暖房時において、冷却部材５０を流れる冷媒は、室内熱交換器１２で冷却、凝縮され、さらに膨張弁３４で膨張されているので、電装ユニット４０を冷却し得る程度に十分に低温である。
【００３６】
＜２．電装ユニットの取付姿勢及び取付構成＞
上記電装ユニット４０は、下記姿勢及び構成にて機械室３０内に収容固定される。
【００３７】
すなわち、電装ユニット４０は、コネクタ部４２，４４を機械室３０内向きにした姿勢で、機械室３０内に固定される。ここでは、コネクタ部４２，４４を機械室３０内向きにした姿勢とは、例えば、当該コネクタ部４２，４４が機械室３０を囲う壁部に接しないで、当該コネクタ部４２，４４の先端側に機械室３０内の少なくとも一部の空間が広がっているような姿勢をいう。ここでは、電装ユニット４０が外側壁３０ａに取付けられており、コネクタ部４２，４４と仕切壁２３との間に、機械室３０内の上方空間が介在した態様とされている。
【００３８】
つまり、コネクタ部４２，４４の先端側には、空間が広がっており、当該空間を利用して、上記コネクタ部４８ａ，４８ｂをコネクタ部４２，４４に容易に接続作業できるようになっている。
【００３９】
また、上記電装ユニット４０は、機械室３０の外側壁との間に上記冷却部材５０を配設可能な位置に取付けられており、上記冷却部材５０は、外側壁３０ａ近傍、即ち、外側壁３０ａと電装ユニット４０との間に配設される。
【００４０】
より具体的には、機械室３０の上記外側壁３０ａの上半部は、電装ユニット固定部３０ｂが形成されている。電装ユニット固定部３０ｂは、機械室３０内に突出するように形成されている。この電装ユニット固定部３０ｂの突出端部に上記電装ユニット４０の主面４１ｂ部分が、ネジ等で取付けられている。この取付状態では、電装ユニット４０の扁平方向は外側壁３０ａの面方向に沿った姿勢となっている。これにより、電装ユニット４０の主面４１ｂと外側壁３０ａの内面との間に、電装ユニット固定部３０ｂの突出寸法分の間隔をあけた状態で、電装ユニット４０が固定される。そして、電装ユニット４０の前記主面４１ｂであって電装ユニット固定部３０ｂへの固定部分下方の位置に固定された冷却部材５０が、電装ユニット４０の主面４１ｂと外側壁３０ａの内面との間に配設される。
【００４１】
また、上記機械室３０の上記外側壁３０ａのうち電装ユニット４０に対向する部分、より具体的には、前記冷却部材５０と対向する部分に、固定作業用開口部３０ｈが形成されている。この固定作業用開口部３０ｈは、冷却部材５０を電装ユニット４０に取付作業できる程度の大きさ及び形状を有している。冷却部材５０が電装ユニット４０の主面４１ｂにネジ等の取付具５４を用いて取付けられる場合、固定作業用開口部３０ｈは、当該取付具５４を冷却部材５０近傍に配設し、かつ、ネジ回し具による締結作業等の取付作業を実施できる程度の大きさ及び形状を有している。この固定作業用開口部３０ｈは、樹脂や金属板等で形成された蓋材で開放及び閉塞可能にするとよい。
【００４２】
上記のような室外機２０を製造するにあたっては、機械室３０内に、圧縮機３２やアキュムレータ３３、膨張弁３４、四方切替弁３６、閉鎖弁３９ａ，３９ｂ、さらにはこれらを接続する配管３８等を組込んで、冷媒経路を形成した後、電装ユニット４０が取付けられる。ここで、冷却部材５０は、上記冷媒経路に組込まれており、自由な取り回しは困難であるため、電装ユニット４０に事前に冷却部材５０を取付けておくことは困難である。そこで、電装ユニット４０と外側壁３０ａとの間に電装ユニット４０を配設しつつ、電装ユニット４０を外側壁３０ａに取付ける。そして、固定作業用開口部３０ｈを利用して、冷却部材５０を電装ユニット４０に取付けることができる。
【００４３】
このように構成された空気調和機の室外機２０によると、電装ユニット４０は、コネクタ部４２，４４を機械室３０内向きにした姿勢で、機械室３０内に固定される。このため、コネクタ部４２，４４の先端側に機械室３０内の空間が広がっている。したがって、当該空間を利用して、配線４８，４９端部のコネクタ部４８ａ，４９ａを電装ユニット４０のコネクタ部４２，４４に容易に接続することができる。
【００４４】
また、電装ユニット４０が機械室３０の外側壁３０ａとの間に冷却部材５０を配設可能な位置に取付けられると共に、外側壁３０ａのうち電装ユニット４０に対向する部分に固定作業用開口部３０ｈが形成されているため、当該固定作業用開口部３０ｈを介して、冷却部材５０を電装ユニット４０に容易に取付けることができる。
【００４５】
また、通常、上記膨張弁３４は閉鎖弁３９ａに接続されているため、当該膨張弁３４は閉鎖弁３９ａ近傍、即ち、機械室３０内の外側壁３０ａ近傍に設けられる。さらに、上記冷却部材５０には膨張弁３４近傍を流れる冷媒が流れる。そこで、電装ユニット４０も機械室３０内の外側壁３０ａ近傍に設けることによって、電装ユニット４０に取付けられる冷却部材５０と膨張弁３４との距離を短くすることができ、それらの間の冷媒配管３８の取り回しを容易とすることができる。例えば、図２に示す例では、膨張弁３４から延出する配管３８を上方に立上げるように取り回すことで、両者間の接続を行え、当該取り回しは容易となっている。
【００４６】
また、本室外機２０では、冷媒を用いて冷却する冷却部材５０を用いているため、上記のような位置に電装ユニット４０を配設しても、問題なく冷却を行える。
【００４７】
＜３．変形例＞
以下、変形例に係る空気調和機の室外機について説明する。なお、以下では、上記実施形態で説明したものと同様構成要素については同一符号を付して説明を省略し、相違点を中心に説明する。
【００４８】
図４は第１変形例に係る空気調和機の室外機を上方から見た状態を示す説明図であり、図５は同空気調和機の室外機を正面から見た状態を示す説明図である。なお、図５では配管等を省略している。
【００４９】
この第１変形例に係る室外機１２０では、上記電装ユニット４０に対応する電装ユニット１４０の扁平方向を外側壁３０ａに略直交させると共に略鉛直にした姿勢で、外側壁３０ａに固定されている。そして、冷却部材５０が、上記実施形態と同様構成及び製造工程にて、電装ユニット１４０の外面のうちその外側壁３０ａに対向する主面１４１ｂに固定されている。
【００５０】
また、上記電装ユニット１４０の外面のうち開口部３１側を向く主面１４１ａに、上記コネクタ部４２，４４に対応するコネクタ部１４２，１４４が設けられている。換言すれば、コネクタ部１４２，１４４を開口部３１に向けた姿勢で、電装ユニット１４０が固定されている。
【００５１】
このため、コネクタ部１４２，１４４の先端側には、開口部３１を通じて空間が広がっており、当該空間を利用してコネクタ部４８ａ，４８ｂをコネクタ部１４２，１４４に容易に接続作業できるようになっている。
【００５２】
図６は第２変形例に係る空気調和機の室外機を上方から見た状態を示す説明図であり、図７は同空気調和機の室外機を正面から見た状態を示す説明図である。なお、図７では配管等を省略している。
【００５３】
この第２変形例に係る室外機２２０では、上記電装ユニット４０に対応する電装ユニット２４０の外面のうち開口部３１側を向く主面２４１ａに、上記コネクタ部４２，４４に対応するコネクタ部２４２，２４４を取付けると共に、冷却部材５０に対応する冷却部材２５０に取付けている。
【００５４】
換言すれば、コネクタ部２４２，２４４及び冷却部材２５０を開口部３１に向けた姿勢で、電装ユニット２４０が固定されている。
【００５５】
このため、コネクタ部２４２，２４４の先端側には、開口部３１を通じて空間が広がっており、当該空間を利用してコネクタ部４８ａ，４８ｂをコネクタ部２４２，２４４に容易に接続作業できるようになっている。
【００５６】
また、電装ユニット２４０を外側壁３０ａに取付けた状態で、主面２４１ａの外方には開口部３１を通じて空間が広がっているため、当該冷却部材２５０を容易にネジ等の固定部を用いて当該主面２４１ａに取付固定することができる。
【００５７】
また、電装ユニット２４０の主面２４１ａにおいて、仕切壁２３側にコネクタ部２４２，２４４が設けられ、外側壁３０ａ側に冷却部材２５０が取付けられる。このため、冷却部材２５０は、外側壁３０ａ近傍に設けられることになり、当該外側壁３０ａ近傍に設けられた膨張弁３４からの配管３８を容易に取り回して冷却部材２５０に接続された構成とすることができる。
【００５８】
特に、この第２変形例では、電装ユニット２４０の一つの主面２４１ａに、コネクタ部２４２，２４４及び冷却部材２５０が設けられることになるため、コネクタ部２４２，２４４に対する接続作業や冷却部材２５０の取付作業を同一方向から行うことができ、さらに、組立作業性の向上に貢献する。
【００５９】
＜４．その他の変形例＞
なお、上記実施形態等では、電装ユニット４０，１４０，２４０を外側壁３０ａに取付けているが、取付対象は本例に限られない。例えば、電装ユニット４０，１４０，２４０を、開口部３１を閉塞する蓋部材３１ａに固定する構成や、機械室３０内に固定された取付板を介して固定する構成等を採用し得る。電装ユニット４０，１４０，２４０を、開口部３１を閉塞する蓋部材３１ａに固定する場合においては、冷却部材２５０の取付やコネクタ部４２，４４，１４２，１４４，２４２，２４４に対する接続等を終えてから、電装ユニット４０，１４０，２４０を蓋部材３１ａに取付けるようにするとよい。
【００６０】
また、電装ユニット２４０の取付構成や、冷却部材２５０の取付構造は、ネジ止に限られず、フック等を利用した構造等、種々の取付構成を採用し得る。
【００６１】
また、上記実施形態等では、機械室３０の上側の位置に電装ユニット４０，１４０，２４０を配設しているが、下側の位置に配設するようにしてもよい。
【００６２】
また、上記各実施形態において、コネクタ部４２，４４，１４２，１４４，２４２，２４４が取付けられる電装ユニット４０，１４０，２４０の面は、電装４０，１４０，２４０の最も広い面や側面等のいずれの面であってもよい。また、電装ユニット４０，１４０，２４０がケーシングを有さず、基板が露出している構成において、当該基板の一方面等にコネクタ部４２，４４，１４２，１４４，２４２，２４４が固定された構成であってもよい。つまり、コネクタ部４２，４４，１４２，１４４，２４２，２４４は、その具体的な取付部位に拘らず、電装ユニット４０，１４０，２４０に対して上記した向きで取付けられていればよい。
【図面の簡単な説明】
【００６３】
【図１】実施形態に係る空気調和機の室外機を上方から見た状態を示す説明図である。
【図２】同上の空気調和機の室外機を正面から見た状態を示す説明図である。
【図３】同上の空気調和機全体の熱交換システムを示す図である。
【図４】第１変形例に係る空気調和機の室外機を上方から見た状態を示す説明図である。
【図５】同上の空気調和機の室外機を正面から見た状態を示す説明図である。
【図６】第２変形例に係る空気調和機の室外機を上方から見た状態を示す説明図である。
【図７】同上の空気調和機の室外機を正面から見た状態を示す説明図である。
【符号の説明】
【００６４】
２０，１２０，２２０  室外機
２４  熱交換器室
３０  機械室
３０ａ  外側壁
３０ｈ  固定作業用開口部
３１  開口部
３４  膨張弁
４０，１４０，２４０  電装ユニット
４２，４４，１４２，１４４，２４２，２４４  コネクタ部
５０，２５０  冷却部材
５４  取付具
【図１】
2008144982.tif 000003
【図２】
2008144982.tif 000004
【図３】
2008144982.tif 000005
【図４】
2008144982.tif 000006
【図５】
2008144982.tif 000007
【図６】
2008144982.tif 000008
【図７】
2008144982.tif 000009